(57)【要約】【課題】上カバー部材を取り外さずにメンテナンス作業を実施できる湯水混合水栓装置を提供すること。【解決手段】本発明は、温調機能部と、温調機能部による温度調整のために回転操作される温調ハンドルと、温調ハンドルの回転角度を規制する回転角度規制部材と、温調機能部の上面側に設けられた上カバー部材と、温調機能部の下面側に設けられた下カバー部材と、温調機能部が上カバー部材及び下カバ−部材から抜け出ることを防止する押さえ部材と、を備えた湯水混合水栓装置である。上カバー部材は、温調機能部の上面の上方に延在する上カバー本体部と、前面側において上カバー本体部から下方に垂れ下がる垂下部と、を有している。垂下部は、前面側から温調ハンドルの軸線方向に見て、回転角度規制部材と少なくとも部分的に重複している。押さえ部材は、回転角度規制部材とは別体に構成されている。【選択図】図６
2019157348.tif 000002
【特許請求の範囲】
【請求項１】
湯水混合水栓装置であって、
給湯源から供給される湯と給水源から供給される水とを混合して、温度調整を行う温調機能部と、
前記温調機能部による温度調整のために回転操作される温調ハンドルと、
前記温調ハンドルの回転角度を規制する回転角度規制部材と、
前記温調機能部の上面側に設けられた上カバー部材と、
前記温調機能部の下面側に設けられた下カバー部材と、
前記温調機能部が前記上カバー部材及び前記下カバ−部材から抜け出ることを防止する押さえ部材と、
を備え、
前記上カバー部材は、前記温調機能部の上面の上方に延在する上カバー本体部と、前記温調ハンドルが露出する前面側において前記上カバー本体部から下方に垂れ下がる垂下部と、を有しており、
前記垂下部は、前記前面側から前記温調ハンドルの軸線方向に見て、前記回転角度規制部材と少なくとも部分的に重複する位置関係となっており、
前記押さえ部材は、前記回転角度規制部材とは、別体に構成されている
ことを特徴とする湯水混合水栓装置。
【請求項２】
前記温調機能部は、環状に前面側に露出する外周縁部を有しており、
前記温調機能部は、温調機能部ハウジングに包含されており、
前記押さえ部材は、前面側から前記外周縁部と前記軸線方向に当接するフランジ部材と、当該フランジ部材を前記温調機能部ハウジングに固定する袋ナットと、を有している
ことを特徴とする請求項１に記載の湯水混合水栓装置。
【請求項３】
前記回転角度規制部材は、前記温調機能部に着脱されるようになっており、
前記回転角度規制部材は、前記温調ハンドルの回転角度に応じて当該温調ハンドルの係止部と協働して当該温調ハンドルの更なる回転を規制する被係止部を有しており、
前記被係止部は、前記回転角度規制部材を前記温調機能部に対して着脱する際において、当該回転角度規制部材の下方側において前記軸線方向に前面側に突出して当該回転角度規制部材の上方側に対して段差部を形成するような位置姿勢となる
ことを特徴とする請求項１または２に記載の湯水混合水栓装置。
【発明の詳細な説明】
【技術分野】
【０００１】
本発明は、温調機能部を備えた湯水混合水栓装置に関する。
【背景技術】
【０００２】
従来から、温調機能部を備えた湯水混合水栓装置が知られている。温調機能部の操作は、一般に、温調ハンドルを回転することによってなされる。
【０００３】
一般的に、湯水混合水栓装置においては、不所望に高温の湯が吐水されてしまう（火傷のおそれがある）ことを防止するために、温調ハンドルに安全ボタンが設けられている。安全ボタンは、高温の湯を吐水する場合に操作されるボタンで、当該安全ボタンを押圧操作しないと温調ハンドルを高温側に回転できないようになっている。
【０００４】
例えば、温調ハンドルの側に係止部が設けられ、温調機能部の側に被係止部が設けられて、温調ハンドルの所望の回転角度において係止部と被係止部とが協働して温調ハンドルの更なる回転を規制するよう、係止部と被係止部の相対位置が予め調整される。そして、安全ボタンが操作される時にのみ、温調ハンドルの係止部が温調機能部の被係止部との協働位置から退避するような構成を採用することで、前述したように不所望に高温の湯が吐水されることを防止することができる。
【０００５】
ここで、湯水混合水栓装置が設置される地域（例えば寒冷地であるか否か）等に応じて、温調ハンドルの回転範囲を適宜に調整可能とするべく、被係止部の位置が調整可能となっていることが好ましい。従って、被係止部を有する回転角度規制部材を温調機能部とは別体の部品として、回転角度規制部材を温調機能部に対して可動に設けておく構成が採用されている。
【０００６】
一方で、温調機能部は、温調機能部ハウジングに包含された態様で、更に上カバー部材と下カバー部材との間に配置されることが一般的である。そして、温調機能部は、瞬間的に高圧が作用する場合があり、温調機能部ハウジングから抜け出てしまうおそれがある。従って、温調機能部は、温調機能部ハウジングからの抜け出しを防止するべく、温調機能部ハウジングに対する「押さえ（係止）」機能を有する構成を採用することが好ましい。
【０００７】
以上のような背景の下、従来の湯水混合水栓装置においては、回転角度規制部材にそのような「押さえ（係止）」機能を持たせていた。例えば、特許文献１に開示された水栓装置では、温調機能部の押さえを担う部品と回転角度規制を担う部品とが１つの部品となっている。
【０００８】
具体的には、図７（特許文献１の図２に対応）に示すように、湯水混合水栓装置１０１において、温調機能部１１０が環状に前面側に露出する外周縁部１１１を有しており、押さえ部材を兼ねる環状の回転角度規制部材１４０が、前面側から外周縁部１１１に当接した状態で、温調機能部ハウジング１１２に固定されている。
【０００９】
これにより、回転角度規制部材１４０は、温調ハンドル１３０の回転角度規制を担うと共に、温調機能部１１０の押さえをも担っている。２つの機能を１つの部品が兼ねることにより、部品点数の増大を抑制することができる。
【先行技術文献】
【特許文献】
【００１０】
【特許文献１】特開２０１７−  ３１６８９号公報
【発明の概要】
【発明が解決しようとする課題】
【００１１】
前述したように、温調機能部は、温調機能部ハウジングに包含された態様で、更に上カバー部材と下カバー部材との間に配置されることが一般的である。従来、温調機能部のメンテナンス作業は、上カバー部材と下カバー部材との両方を取り外してから行われていた。
【００１２】
本件発明者は、メンテナンスの作業効率を向上させるため、下カバー部材のみを取り外した状態で、すなわち、上カバー部材を取り付けたままで、メンテナンス作業を行うことができないか鋭意検討を重ねてきた。
【００１３】
ここで、上カバー部材が、前面側において下方に垂れ下がる垂下部を有していない場合には、下カバー部材のみを取り外した状態でも前面側の全体が開放されるため、メンテナンス作業を行うことに支障はない。
【００１４】
しかしながら、近年では、意匠性を向上させるべく、上カバー部材が、温調機能部の上面の上方に延在する上カバー本体部と、前面側において上カバー本体部から下方に垂れ下がる垂下部と、を有している場合が多い。そして、このような場合には、温調機能部の押さえと温調ハンドルの回転角度規制とを担う部品（例えば図７の回転角度規制部材１４０）が比較的大きい部品であるため、上カバー部材を取り外さないで当該部品を取り外すことが困難であった。
【００１５】
本発明は、以上のような知見に基づいてなされたものである。本発明の目的は、上カバー部材を取り外すことなくメンテナンス作業を実施することができるような湯水混合水栓装置を提供することである。
【課題を解決するための手段】
【００１６】
本発明は、湯水混合水栓装置であって、給湯源から供給される湯と給水源から供給される水とを混合して、温度調整を行う温調機能部と、前記温調機能部による温度調整のために回転操作される温調ハンドルと、前記温調ハンドルの回転角度を規制する回転角度規制部材と、前記温調機能部の上面側に設けられた上カバー部材と、前記温調機能部の下面側に設けられた下カバー部材と、前記温調機能部が前記上カバー部材及び前記下カバ−部材から抜け出ることを防止する押さえ部材と、を備え、前記上カバー部材は、前記温調機能部の上面の上方に延在する上カバー本体部と、前記温調ハンドルが露出する前面側において前記上カバー本体部から下方に垂れ下がる垂下部と、を有しており、前記垂下部は、前記前面側から前記温調ハンドルの軸線方向に見て、前記回転角度規制部材と少なくとも部分的に重複する位置関係となっており、前記押さえ部材は、前記回転角度規制部材とは、別体に構成されていることを特徴とする湯水混合水栓装置である。
【００１７】
本発明によれば、上カバー部材の垂下部が、前面側から温調ハンドルの軸線方向に見て回転角度規制部材と少なくとも部分的に重複する位置関係とされているにも拘わらず、押さえ部材と回転角度規制部材とを別体に（分離可能に）構成していることにより、上カバー部材が取り外されていない状態でも、押さえ部材と回転角度規制部材とを取り外すことが容易であり、ひいては、上カバー部材を取り外さずにメンテナンス作業を実施することが容易となる。
【００１８】
前記温調機能部は、環状に前面側に露出する外周縁部を有しており、前記温調機能部は、温調機能部ハウジングに包含されており、前記押さえ部材は、前面側から前記外周縁部と前記軸線方向に当接するフランジ部材と、当該フランジ部材を前記温調機能部ハウジングに固定する袋ナットと、を有していることが好ましい。
【００１９】
この場合、押さえ部材が、フランジ部材と袋ナットという２部品に更に分離可能であるため、上カバー部材が取り外されていない状態で押さえ部材を取り外すことが更に容易である。また、フランジ部材と温調機能部とを回転方向に係合可能な構成とし、且つ、両者の係合位置を調整可能にしておくことで、フランジ部材と回転角度規制部材とを回転方向に固定した状態で回転角度規制部材の位置姿勢を調整することができる。
【００２０】
また、前記回転角度規制部材は、前記温調機能部に着脱されるようになっており、前記回転角度規制部材は、前記温調ハンドルの回転角度に応じて当該温調ハンドルの係止部と協働して当該温調ハンドルの更なる回転を規制する被係止部を有しており、前記被係止部は、前記回転角度規制部材を前記温調機能部に対して着脱する際において、当該回転角度規制部材の下方側において前記軸線方向に前面側に突出して当該回転角度規制部材の上方側に対して段差部を形成するような位置姿勢となることが好ましい。
【００２１】
この場合、回転角度規制部材の被係止部による段差部（及びその上方の凹部）を利用することで、取り付けられたままの上カバー部材を回避しながら回転角度規制部材を着脱することができる。
【発明の効果】
【００２２】
本発明によれば、上カバー部材の垂下部が、前面側から温調ハンドルの軸線方向に見て回転角度規制部材と少なくとも部分的に重複する位置関係とされているにも拘わらず、押さえ部材と回転角度規制部材とを別体に（分離可能に）構成していることにより、上カバー部材が取り外されていない状態でも、押さえ部材と回転角度規制部材とを取り外すことが容易であり、ひいては、上カバー部材を取り外さずにメンテナンス作業を実施することが容易となる。
【図面の簡単な説明】
【００２３】
【図１】本発明の一実施形態による湯水混合水栓装置の斜視図である。
【図２】図１の湯水混合水栓装置の温調機能部部分の斜視図である。
【図３】図２の温調機能部部分の正面図である。
【図４】図３のＩＶ−ＩＶ線断面図である。
【図５】図２乃至図４の温調機能部部分の分解側面図である。
【図６】図２乃至図５の温調機能部部分の分解斜視図である。
【図７】従来の湯水混合水栓装置の分解斜視図である（特許文献１の図２に対応する図である）。
【発明を実施するための形態】
【００２４】
次に、添付図面を参照して、本発明の一実施形態による湯水混合水栓装置について説明する。
【００２５】
図１は、本発明の一実施形態による湯水混合水栓装置１の概略斜視図である。図１に示すように、湯水混合水栓装置１は、水回り設備、例えば浴室、キッチン、洗面台等の壁面に取付けられるカウンター一体型の湯水混合水栓装置である。湯水混合水栓装置１の箱体２０の上面は、平坦に形成され、物を置くためのカウンターとして使用することができる。
【００２６】
本実施形態の箱体２０は、上カバー部材２１と下カバー部材２２とによって区画されている。また、上カバー部材２１は、箱体２０の上面を形成するべく概ね平坦に延在する上カバー本体部２１ａと、前面側において上カバー本体部２１ａから下方に垂れ下がる垂下部２１ｂと、を有している。
【００２７】
湯水混合水栓装置１には、壁面に設けられた給湯源（図示せず）から延びる湯供給管３ａと、壁面に設けられた給水源（図示せず）から延びる水供給管３ｂと、が接続されている。また、湯水混合水栓装置１の下部にカランが設けられている。また、湯水混合水栓装置１の側部には、シャワーホース４ａを介してシャワーヘッド４が接続されている。
【００２８】
そして、湯水混合水栓装置１の前面側の上方に、カラン吐水用タッチ操作部５ａ及びシャワー吐水用タッチ操作部５ｂが設けられている。また、湯水混合水栓装置１の前面側に温調ハンドル３０と、流調ハンドル７と、オーバーヘッドシャワー切替ハンドル８と、が設けられている。
【００２９】
本実施形態の湯水混合水栓装置１は、操作者がカラン吐水用タッチ操作部５ａをタッチ操作（押込み操作）することにより、止水状態と、カランからの吐水状態と、を切り替えることができる。また、操作者がシャワー吐水用タッチ操作部５ｂをタッチ操作（押込み操作）することにより、止水状態と、シャワーヘッド４からの吐水状態と、を切り替えることができる。
【００３０】
また、温調ハンドル３０は、温調制御のために温調機能部１０内において回転される接続シャフト１０ｂに結合されている。これにより、湯水混合水栓装置１は、温調ハンドル３０を回転操作することにより、温調機能部１０の作用により吐水温度を調整することができる。また、流調用ハンドル７を回転操作することにより、流量調整機能部の作用により吐水流量を調整することができる。
【００３１】
温調機能部１０は、湯供給管３ａを介して給湯源から供給される湯と水供給管３ｂを介して給水源から供給される水とを混合して、温度調整を行うようになっている。そして、前述のように、温調ハンドル３０が回転操作されることによって、温調機能部１０による温度調整がなされるようになっている。このとき、一定温度以上の温度に設定するためには、温調ハンドル３０に設けられた安全ボタン３５を押しながら（これにより後述する係止部３１が被係止部４１との協働位置から退避する）、温調ハンドル３０を回転する必要がある。
【００３２】
次に、図２は、図１の湯水混合水栓装置１の温調機能部部分の斜視図であり、図３は、図２の温調機能部部分の正面図であり、図４は、図３のＩＶ−ＩＶ線断面図である。また、図５は、図２乃至図４の温調機能部部分の分解側面図であり、図６は、図２乃至図５の温調機能部部分の分解斜視図である。
【００３３】
図２乃至図６に示すように、本実施形態の湯水混合水栓装置１においては、温調ハンドル３０の回転角度を規制する回転角度規制部材４０と、温調機能部１０が上カバー部材２１及び下カバ−部材２２から抜け出ることを防止する押さえ部材１３、１４とが、別体に（分離可能に）設けられている。
【００３４】
更に、本実施形態においては、図２乃至図６に示すように、温調機能部１０が、環状に前面側に露出する外周縁部１１を有しており、温調機能部１０は、温調機能部ハウジング１２に包含されており、押さえ部材は、前面側から外周縁部１１と軸線方向（温調ハンドル３０の軸線方向）に当接するフランジ部材１３と、当該フランジ部材１３を温調機能部ハウジング１２に固定する袋ナット１４と、を有している（温調機能部ハウジング１２の外周に袋ナット１４と螺合する雄ネジ部（不図示）が形成されている）。すなわち、押さえ部材が、フランジ部材１３と袋ナット１４という２部品に更に分離可能となっている。
【００３５】
また、本実施形態では、図６に示すように、フランジ部材１３の後方側の内周面に係合位置調整用の溝パターン（または凸パターン）１３ｂが設けられており、当該溝パターン１３ｂに対応する凸パターン１０ｂ（または溝パターン）が、温調機能部１０の外周面に設けられている。これにより、フランジ部材１３と温調機能部１０とは、回転方向に任意の相対位置で係合可能となっている。これにより、溝パターン１３ｂと凸バターン１０ｂとが前後にずれている係合前の状態では、フランジ部材１３ｂは温調機能部１０に対して自由回転可能である一方、溝パターン１３ｂと凸パターン１０ｂとが係合した状態では、フランジ部材１３ｂは温調機能部１０に対して回転方向に固定されるようになっている。
【００３６】
一方、フランジ部材１３と回転角度規制部材４０とは、例えばフランジ部材１３に設けられた嵌合凹部１３ａが、回転角度規制部材４０に設けられた対応する嵌合凸部（不図示）と嵌合することによって、回転方向に固定されるようになっている。これにより、回転角度規制部材４０は、フランジ部材１３を介して、温調機能部１０に着脱されるようになっている。
【００３７】
また、本実施形態の回転角度規制部材４０は、図５及び図６に示すように、温調ハンドル３０の回転角度に応じて温調ハンドル３０の係止部３１（図３参照：安全ボタン３５の操作によって位置が移動する）と協働して温調ハンドル３０の更なる回転を規制する被係止部４１を有している。被係止部４１は、回転角度規制部材４０を温調機能部１０に対して着脱する際において（嵌合凹部１３ａと嵌合凸部とを軸線方向に摺動移動させる際において）、回転角度規制部材４０の下方側において軸線方向に前面側に突出して回転角度規制部材４０の上方側に対して段差部４２を形成するような位置姿勢を取ることが可能となっている。
【００３８】
その他、本実施形態では、上カバー部材２１は温調機能部１０の上面側に位置しており、下カバー部材２２は温調機能部１０の下面側に位置しており、上カバー部材２１及び下カバー部材２２は、温調機能部ハウジング１２を介して、温調機能部１０を支持している。そして、図１に照らして図２乃至図６を参照することによって明らかなように、上カバー２１の垂下部２１ｂは、前面側から温調ハンドル３０の軸線方向に見て、回転角度規制部材４０と少なくとも部分的に重複する位置関係となっている。
【００３９】
以上のような本実施形態の湯水混合水栓装置１によれば、上カバー部材２１の垂下部２１ｂが軸線方向に回転角度規制部材４０と少なくとも部分的に重複しているにも拘わらず、押さえ部材１３、１４と回転角度規制部材４０とを別体に（分離可能に）構成していることにより、上カバー部材２１が取り外されていない状態でも、押さえ部材１３、１４と回転角度規制部材４０とを取り外すことが容易であり、ひいては、上カバー部材２１を取り外さずにメンテナンス作業を実施することが容易である。
【００４０】
上カバー部材２１は、通常、傷つけないように取り扱うことが求められる。このため、上カバー部材２１を取り外さずに済むことは、取り外しの労力削減のみならず、メンテナンス作業全体を容易化するという効果もある。
【００４１】
更に、本実施形態の湯水混合水栓装置１によれば、押さえ部材が、フランジ部材１３と袋ナット１４という２部品に更に分離可能であるため、上カバー部材２１が取り外されていない状態で押さえ部材を取り外すことが更に容易である。
【００４２】
また、本実施形態の湯水混合水栓装置１によれば、フランジ部材１３と温調機能部１０とが回転方向に係合可能であって、且つ、両者の係合位置が調整可能であるため、フランジ部材１３と回転角度規制部材４０とを回転方向に固定した状態でフランジ部材１３と温調機能部１０との係合位置を調整することによって、回転角度規制部材４０の位置姿勢（すなわち温調ハンドル３０の回転範囲）を調整することができる。これにより、回転角度規制部材４０の位置姿勢（すなわち温調ハンドル３０の回転範囲）の調整を、より容易に実施することができる。
【００４３】
また、本実施形態の湯水混合水栓装置１によれば、回転角度規制部材４０を温調機能部１０に対して着脱する際において、被係止部４１の位置姿勢を回転角度規制部材４０の下方側において軸線方向に前面側に突出するように調整することにより（これにより、回転角度規制部材４０の上方側に対して段差部４２が形成される）、段差部４２（及びその上方の凹部）を利用して、取り付けられたままの上カバー部材２１を回避しながら、回転角度規制部材４０を着脱することが容易となる。
【符号の説明】
【００４４】
１    湯水混合水栓装置
３ａ  湯供給管
３ｂ  水供給管
４    シャワーヘッド
４ａ  シャワーホース
５ａ  カラン吐水用タッチ操作部
５ｂ  シャワー吐水用タッチ操作部
７    流調ハンドル
８    オーバーヘッドシャワー切替ハンドル
１０    温調機能部
１０ａ  接続シャフト
１０ｂ  凸パターン
１１    外周縁部
１２    温調機能部ハウジング
１３    フランジ部材（押さえ部材の一部）
１３ａ  嵌合凹部
１３ｂ  溝パターン
１４    袋ナット（押さえ部材の一部）
２０    箱体
２１    上カバー部材
２１ａ  上カバー本体部
２１ｂ  垂下部
２２    下カバー部材
３０    温調ハンドル
３１    係止部
３５    安全ボタン
４０    回転角度規制部材
４１    被係止部
４２    段差部
１０１    従来の湯水混合水栓装置
１１０    温調機能部
１１１    外周縁部
１１２    温調機能部ハウジング
１４０    回転角度規制部材（押さえ部材を兼ねる）
【図１】
2019157348.tif 000003
【図２】
2019157348.tif 000004
【図３】
2019157348.tif 000005
【図４】
2019157348.tif 000006
【図５】
2019157348.tif 000007
【図６】
2019157348.tif 000008
【図７】
2019157348.tif 000009